(57)【要約】【課題】棚板の上面と、棚板の直上の固定支持部のスリットまでの寸法（間隔）が大きくても使用できる棚板押さえ具を提供する。【解決手段】固定支持部のスリットに係止する係止片部２と、係止片部と一体に付設される基部本体１と、基部本体に配設され、該基部本体に対して上下移動する可動押さえ部３と、を有し、可動押さえ部には、棚板を押圧するネジ頭を有するネジ本体部が螺合する雌ネジ部と、雌ネジ部と並列に配置される、上下方向に複数のノコギリ刃を有する直線刃部と、直線刃部のノコギリ刃と係止又は係止解除する、常時直線刃部に係止する方向にバネ付勢される押し釦６が付設され、押し釦と該直線刃部の係止位置を選択することで、該可動押さえ部の上下位置の選択が可能な棚板押さえ具１０。【選択図】図９
2020185317.tif 000002
【特許請求の範囲】
【請求項１】
固定支持部のスリットに係止する係止片部と、
該係止片部と一体に付設される基部本体と、
該基部本体に配設され、該基部本体に対して上下移動する可動押さえ部と、を有し、
該可動押さえ部は、棚板を押圧するネジ頭を有するネジ本体が螺合する雌ネジ部が形成されたネジ本体保持部と、該ネジ本体保持部と横並びに位置する上下方向に複数のノコギリ刃を有する直線刃部と、を有し、
該基部本体には、該一つ以上のノコギリ刃と係止又は係止解除する、常時、係止する方向にバネ付勢される押し釦が、更に付設され、
該押し釦と該直線刃部の係止位置を選択することで、該可動押さえ部の上下位置の選択が可能であることを特徴とする棚板押さえ具。
【請求項２】
該ノコギリ刃の一つの刃は、断面が傾斜状の刃と起立状の刃とからなり、該起立状の刃が上方となるように配設されることを特徴とする請求項１記載の棚板押さえ具。  
【請求項３】
該直線刃部は、該可動押さえ部の一方の側面側に形成したものであることを特徴とする請求項１又は２記載の棚板押さえ具。  
【請求項４】
該押し釦は、該基部本体の上下方向と直交する方向に出没自在に付設され、該ノコギリ刃の刃先と対峙する方向から係止する係止刃を有する係止刃部と、該係止刃部の一方の側端から刃先方向に延びる押し部とで平面視Ｌ字形状を形成しており、
該押し部の先端をバネ力に抗して押すことで、該係止刃部と該直線刃部の係止を解除し、押すことを止めることで、該係止刃部と該直線刃部の係止を行うことを特徴とする請求項１〜３のいずれか１項に記載の棚板押さえ具。  
【請求項５】
該係止刃部の反刃部側に、バネ部材が収納されることを特徴とする請求項１〜４のいずれか１項に記載の棚板押さえ具。
【発明の詳細な説明】
【技術分野】
【０００１】
本発明は、量販店、専門店及びスーパーなどで使用される商品陳列棚の棚板の跳ね上がりを防止する棚板押さえ具に関するものである。
【背景技術】
【０００２】
従来、棚受け（ブラケット）としては、全体が細長い略三角形状に形成された棚受け本体の一端側に、棚板を架設する支柱に上下方向に所定のピッチで多数、形成されたスリットに係止する略横Ｌ字状の係止片が上下に２つ又は３つ付設されたものが知られている。
【０００３】
このような棚受けを支柱に設置する場合、先ず棚受け本体の一端側の係止片を支柱のスリットに挿入し、次に、棚受け本体の全体を下方に下げることによって、支柱に係止させ設置する。これにより、棚受け上に板状の棚板を設置して、商品陳列棚を得ることができる。
【０００４】
しかし、このような従来の商品陳列棚において、係止片はスリット内において、下方に下げられたものであるため、設置後、スリット内における係止片の上方に隙間が発生する。このため、意図せぬ外力が作用して、係止片が支柱のスリットから抜け、棚受けが支柱から脱落するという問題があった。また、棚受けが外れなくとも、棚板が棚受けからずれて落下するという問題があった。
【０００５】
このような問題を解決するものとして、特開２００８−１３６５３６号公報には、多数のスリット状の係合孔が設けられたサポート部材と、このスリット内に挿入される係止部を有し前記サポート部材に装着される支持部材と、この支持部材上に載置される棚板と、この棚板上部に位置するスリットに装着される棚板抑え金具と、を備え、前記棚板抑え金具は、前記スリット内に挿入される鉤部と、基部と、この基部に対して上下移動可能に設けられた抑え部とからなり、前記支持部材と抑え部とにより棚板を挟み込み、棚板を固定したことを特徴とする陳列棚（請求項１）が開示されている。この発明によれば、抑え部を基部に対して上下方向に移動可能に構成しているので、棚板を支持部材と棚板抑金具と間で挟み込むことができ、棚板を固定することができる。これにより、棚板の後方に跳ね上がり方向に力が加わっても棚板が跳ね上がることを防止することができる。また、抑え部が基部に対して上下に移動可能に構成されているので、種々の厚さの棚板に対応することができる。
【先行技術文献】
【特許文献】
【０００６】
【特許文献１】特開２００８−１３６５３６号公報（請求項１）
【発明の開示】
【発明が解決しようとする課題】
【０００７】
近年、陳列の演出を高めるため、厚みの薄い棚板やこれとは逆に、厚みの厚い棚板を使用することがある。また、固定支持部である支柱のスリットのピッチ間隔も、支柱により異なることがある。このため、特開２００８−１３６５３６号公報で使用する棚板抑え金具が、取り付けられないという問題がある。すなわち、棚板の上面と、該棚板の直上のスリットまでの寸法（間隔）が大きくなることがあり、この場合、棚板抑え金具の抑え部を基部から最大伸ばしたとしても、抑え部が棚板に接しないという問題がある。
【０００８】
すなわち、本発明の目的は、棚板の上面と、棚板の直上の固定支持部のスリットまでの寸法（間隔）が大きくても使用できる棚板押さえ具を提供することにある。
【課題を解決するための手段】
【０００９】
すなわち、本発明は、上記課題を解決するものであって、
固定支持部のスリットに係止する係止片部と、
該係止片部と一体に付設される基部本体と、
該基部本体に配設され、該基部本体に対して上下移動する可動押さえ部と、を有し、
該可動押さえ部は、棚板を押圧するネジ頭を有するネジ本体が螺合する雌ネジ部が形成されたネジ本体保持部と、該ネジ本体保持部と横並びに位置する上下方向に複数のノコギリ刃を有する直線刃部と、を有し、
該基部本体には、該一つ以上のノコギリ刃と係止又は係止解除する、常時、係止する方向にバネ付勢される押し釦が、更に付設され、
該押し釦と該直線刃部の係止位置を選択することで、該可動押さえ部の上下位置の選択が可能であることを特徴とする棚板押さえ具を提供するものである。
【００１０】
また、本発明は、該ノコギリ刃の一つの刃は、断面が傾斜状の刃と起立状の刃とからなり、該起立状の刃が上方となるように配設されることを特徴とする前記棚板押さえ具を提供するものである。  
【００１１】
また、本発明は、該直線刃部は、該可動押さえ部の一方の側面側に形成したものであることを特徴とする前記棚板押さえ具を提供するものである。  
【００１２】
また、本発明は、該押し釦は、該基部本体の上下方向と直交する方向に出没自在に付設され、該ノコギリ刃の刃先と対峙する方向から係止する係止刃を有する係止刃部と、該係止刃部の一方の側端から刃先方向に延びる押し部とで平面視Ｌ字形状を形成しており、
該押し部の先端をバネ力に抗して押すことで、該係止刃部と該直線刃部の係止を解除し、押すことを止めることで、該係止刃部と該直線刃部の係止を行うことを特徴とする前記棚板押さえ具を提供するものである。  
【００１３】
また、本発明は、該係止刃部の反刃部側に、バネ部材が収納されることを特徴とする前記棚板押さえ具を提供するものである。
【発明の効果】
【００１４】
本発明によれば、押し釦を押し、係止刃部と可動押さえ部の直線刃部との係止を解除し、基部本体から可動押さえ部を下方に引き出す第１段階のストロークを実施し、次いで、引き出された可動押さえ部からネジ本体を下方に引き出す第２段階のストロークを実施するため、ストロークを大きく採れる。このため、棚板の上面と、棚板の直上のスリットまでの寸法が大きくても、棚板を棚受けと棚板押さえ具の間で挟み込み、棚板の跳ね上がりを防止できる。
【図面の簡単な説明】
【００１５】
【図１】本発明の実施の形態における棚板押さえ具の斜視図である。
【図２】図１の棚板押さえ具の右側面図である。
【図３】図２の棚板押さえ具を上から見た図である。
【図４】図３のＸ−Ｘ線に沿って見た断面図である。
【図５】図１の棚板押さえ具の正面図である。
【図６】図１の棚板押さえ具の背面図である。
【図７】図１の棚板押さえ具の左側面図である。
【図８】図１の棚板押さえ具の分解斜視図である。
【図９】図１の棚板押さえ具の可動押さえ部を引き出した状態の右側面図である。
【図１０】図１の棚板押さえ具の可動押さえ部を引き出した状態の左側面図である。
【図１１】図９の棚板押さえ具からネジ本体部を引き出した状態の右側面図である。
【図１２】図４のＹ−Ｙ線に沿って見た図である。
【図１３】図１２の押し釦を押した状態の断面図である。
【図１４】可動押さえ部と押し釦とバネ部材の位置関係を説明する図である。
【図１５】直線刃部と押し釦の係止刃部の係止状態を示す簡略図である。
【図１６】直線刃部と押し釦の係止刃部の係止解除を示す簡略図である。
【図１７】直線刃部と押し釦の係止刃部の他の係止状態を示す簡略図である。
【図１８】直線刃部と押し釦の係止刃部の係止状態を示す断面図である。
【図１９】直線刃部と押し釦の係止刃部の係止解除を示す断面図である。
【図２０】図１の棚板押さえ具の使用方法であって、押し釦を使用しない方法を説明する図である。
【図２１】図２０に続く工程であり、押し釦を使用せず、ネジ本体部を引き出し棚板を押さえる方法を説明する図である。
【図２２】図１の棚板押さえ具の使用方法であって、押し釦を使用し、可動押さえ部を引き出した状態を説明する図である。
【図２３】図２２に続く工程であり、可動押さえ部からネジ本体部を引き出し棚板を押さえる方法を説明する図である。
【図２４】本発明の他の実施の形態における棚板押さえ具の斜視図である。
【発明を実施するための形態】
【００１６】
次に、本発明の実施の形態における棚板押さえ具を図１〜図２３を参照して説明する。本明細書において、「上下」、「左右」は、棚板押さえ具の設置状態における顧客側から見た位置関係を言い、係止片部２が後側となる位置である。
【００１７】
棚板押さえ具１０は、係止片部２と、係止片部２と一体に付設される基部本体１と、基部本体１に配設され、基部本体１に対して上下移動する可動押さえ部３と、を有する。また、可動押さえ部３は、棚板を押圧するネジ頭７１を有するネジ本体７３が螺合する雌ネジ部４を有するネジ本体保持部３１と、ネジ本体保持部３１と並列に位置する、上下方向に複数のノコギリ刃５１を有する直線刃部５を有する板状体３２と、を有する。また、基部本体１には、直線刃部５の一つのノコギリ刃５１と係止又は係止解除する、常時、直線刃部５に係止する方向にバネ付勢される押し釦６が付設されている。
【００１８】
棚板押さえ具１０において、係止片部２は、固定支持部５０に上下方向、所定のピッチで多数形成されるスリット５７ａ、５７ｂに係止するものであり、本例では、板状体の後方上部を上下に２つの段差２２ａ、２２ｂが形成されるように切り欠き、下方先端部２１を下方に延びる鉤状としたものである（図２０参照）。鉤部２１の内側の係止端２３１から上部の段差２２ａまでの寸法Ｌは、スリット５７のスリット長よりやや小さい。この係止片部２によれば、スリット５７に挿入し易く、挿入後は、上部の段差２２ａが、スリット５７の上端近傍に接近し、取り付けが安定する。なお、係止片部２は、上記形状に限定されず、ひとつの段差２２ａの鉤状であってもよい。この場合、段差２２ａの角は、切り落とされ（面取りされ）ていれば、スリット５７に確実に係止できる。係止片部２は金属製が剛性が高い点で好ましい。
【００１９】
棚板押さえ具１０が係止する固定支持部５０としては、スリット５７を有するコ字断面、Ｈ字断面又はＬ字断面を有するチャンネル（溝型）鋼材やパイプ鋼材が挙げられる。スリット５７は、このような鋼材の上下方向に所定にピッチで多数、形成されたものであり、例えば、縦寸法Ｌ、幅寸法ｗの矩形断面形状の貫通孔が挙げられる。図２０〜図２１に示すように、スリット５７が形成された鋼材５０において、スリット５７の上方の内壁面、下方の内壁面及びスリット５７の上方の鋼材の内壁面が係止片部２が係止あるいは当接する部分となる。
【００２０】
棚板押さえ具１０において、基部本体１の後部が、係止片部２と接続している。また、基部本体１には、可動押さえ部３と押し釦６が取り付けられる。基部本体１は厚みのある中実の箱状体に、上下方向に貫通する縦くり抜き部１２を形成し、右側面から縦くり抜き部１２まで貫通する横くり抜き部１３を形成したものである。縦くり抜き部１２には、可動押さえ部３が上下方向に移動自在に挿通され、横くり抜き部１３には、押し釦６の押し部６２が横方向に出没自在に挿通される。基部本体１は樹脂製が好ましい。縦くり抜き部１２は、平面視が円形部１２１と、円形部１２１の一部の円弧から横方向に延びる矩形部１２２とからなる形状である。また、横くり抜き部１３は、本例では側面視が四角形状である。なお、縦くり抜き部１２の手前の内壁面には、可動押さえ部３の上下移動をガイドする縦突起１１２が形成されている。
【００２１】
可動押さえ部３は、ネジ本体７３が収納される円柱状のネジ本体保持部３１と、ネジ本体保持部３１と横並びに位置す直線刃部５を有する板状体３２からなる。ネジ本体保持部３１の内部には、雌ねじ４が切られており、ネジ本体７３の雄ねじが螺合する。これにより、ネジ頭７１をネジが外れる方向に回すことで、可動押さえ部３からネジ本体７３を下方に引き出し、ネジを締める方向に回すことで、ネジ本体７３を可動押さえ部３に収納させることができる。ネジ本体保持部３１の内部の雌ねじ４は、ネジ本体保持部３１の全長に形成されたものでもよく、下方から上方の途中まで部分的に形成されてものであってもよい。なお、可動押さえ部３の手前の側面には、基部本体１の縦突起１２１に嵌る縦ガイド溝３３が形成されている。
【００２２】
直線刃部５は、板状体の一側面に、上下方向に複数のノコギリ刃５１を形成したものである。本例では、４つのノコギリ刃５１が形成され、押し釦６の係止刃６１が係止する溝は５つの内の２つとなっている。これにより、可動押さえ部３は、基部本体１から上下方向に４段階で位置選択が可能となる。本例では、押し釦６の係止刃６１ａ、６１ｂが、直線刃部５の最下のノコギリ刃５１ｄの上下の溝５２ｄ、５２ｅに係止する場合が、図１及び図２並びに図１５に示す使用前の待機状態であり、可動押さえ部３が基部本体１に収納された状態である。
【００２３】
ノコギリ刃５１ａ〜５１ｄの一つの刃は、図１５に示すように、断面が傾斜状の刃５１２と起立状の刃５１１とからなり、起立状の刃５１１が上方となるように配設される。起立状とは、板状体の一側面から起立する意味であり、設置状態においては水平方向に延びるものである。これにより、押し釦６の係止刃６１が刃間の溝５２ａ〜５２ｄに係止した際、基部本体１に対して、可動押さえ部３は上方には上げることができず、下方にはバネ付勢に抗して、下げることができる。
【００２４】
押し釦６は、上下方向と直交する方向（左右方向）に出没自在に付設され、且つノコギリ刃５１の刃先と対峙する方向から係止する係止刃６１を有する板状の係止刃部６３と、係止刃部６３の一方の側端から刃先方向に延びる押し部６２とで平面視Ｌ字形状を形成している。すなわち、押し釦６の係止刃６１は、図８、１４及び１６に示すように、板状体の一側面（本例では右側面）に、隣接するノコギリ刃５１間の刃溝５２に係止する２つの刃を形成したものである。従って、係止刃６１の刃形状は、ノコギリ刃５１間の溝形状に対応する形状であり、上面６１１は、傾斜面であり、下面６１２は起立面（使用状態において水平面）である。また、押し部６２は、係止刃６１を有する板状体６３の側端（後方端）から刃先方向（本例では右方向）に延びる板状体である。板状の係止刃部６３から起立する押し部６２の起立高さは、押し釦６の係止刃６１がバネ付勢により、ノコギリ刃５１に係止している状態で、基部本体１の側面から押し代が突出する高さであり、且つ押し部６２を押すことで、係止刃６１とノコギリ刃５１の係止が解除された状態で、基部本体１に没入する高さである。
【００２５】
バネ部材８は、コイルバネであり、係止刃６１の反刃部側、すなわち、板状の係止刃部６３の背面側（左側面側）に収納される。コイルバネ８の一端は、基部本体１の縦くり抜き部１２の矩形部１２２の内壁に当接しており、他端は、板状の係止刃部６３の背面に当接している。
【００２６】
図１及び図２の棚板押さえ具１０は、係止片部２を有する基部本体１に、可動押さえ部３、バネ部材８及び押し釦６を組付けたものである。すなわち、基部本体１の横くり抜き部１３に、押し釦６を入れ込む。この際、コイルバネ８が所定の場所に収納されるよう、予め入れておく。なお、ネジ本体７３は、可動押さえ部３の雌ねじ４に予め、ねじ込んでおくことが好ましい。次いで、ネジ本体７３が組み込まれた可動押さえ部３を、基部本体１の縦くり抜き部１２に、下方から上方に向けて押し込む。これにより、図１及び図２の棚板押さえ具１０が得られる。この際、ネジ頭７１が基部本体１から下方に突出し、可動押さえ部３の上部の一部が、基部本体１から突出している。また、押し釦６の係止刃６１（６１ａ、６１ｂ）は、直線刃部５の最下のノコギリ刃５１ｄの上下２つの溝５２ｄ、５２ｅに係止している（図１５参照）。図１及び図２の棚板押さえ具１０によれば、可動押さえ部３は、バネ付勢された押し釦６により、基部本体１内において、係止され固定されている。但し、基部本体１から可動押さえ部３を手で下方に引き出すことは可能である。この際、押し釦６の係止刃６１は、直線刃部５のノコギリ刃５１を乗り越えた係止解除状態と、バネ付勢により刃溝に嵌る係止状態を繰り返すことになる。
【００２７】
図９及び図１０は、基部本体１から可動押さえ部３を最大ストロークｌ１まで引き出した状態を示す図である。この際、押し釦６の係止刃６１（６１ａ、６１ｂ）は、直線刃部５の最上のノコギリ刃５１ａの上下２つの溝５２ａ、５２ｂに係止している（図１７）。最大ストロークｌ１は、棚板押さえ具１０の使用状態における基部本体１から可動押さえ部３が引き出される最大長さを言う。更に、図９及び図１０の棚板押さえ具１０において、ネジ本体７３のネジを緩める方向に回すことで、可動押さえ部３からネジ頭７１を下方にストロークｌ２分、引き出すことができる（図１１）。棚板押さえ具１０によれば、基部本体１からネジ頭７１を、最大（ｌ１＋ｌ２）分、下方に引き出すことができる。図１１の棚板押さえ具１０は、ネジ頭７１が下方からの押圧を受けても、ネジ本体７３は可動押さえ部３に対して螺合しており上方に上がらず、また、可動押さえ部３は押し釦６によりバネ付勢されて係止しており、これ以上、上方に上がらない。
【００２８】
次に、固定支持部５０のスリット５７に、棚板受け７０を取り付け、一般的な厚みｔ１の棚板６０ａを設置し、棚板受け７０および棚板押さえ具１０を取り付ける方法について、図２０及び図２１を参照して説明する。固定支持部５０のスリット５７に、棚板受け７０のフック状の係止片７１ａ、７１ｂを係止させて、固定支持部５０に棚板受け７０を取り付ける。次いで、棚板受け７０上に棚板６０ａを載せる。この場合、棚板受け７０のフック状の係止片７１ａ、７１ｂのスリット内における上部隙間８０ａ、８０ｂが存在するため、意図せぬ外力により、棚板受け７０が上方へ外れる恐れがある。
【００２９】
次いで、棚板６０ａの直上のスリット５７ｂに、棚板押さえ具１０を取り付ける。先ず、棚板押さえ具１０の係止片部２を、スリット５７ｂに挿入し、鉤状の先端と上部段差２２ａをスリット５７ｂに係止させる。この状態において、棚板押さえ具１０のネジ頭７１と棚板６０ａの距離はそれほど大きくはない。このため、棚板押さえ具１０の可動押さえ部３を基部本体１から引き出すことなく、ネジ本体７３を、ネジ頭７１が棚板６０ａの上面６１１ａを押し込むまでネジを緩める方向に回す。ネジ頭７１が棚板６０ａの上面６１１ａを強く押すことで反力が生じ、棚板押さえ具１０の係止片部２が、固定支持部５０側に強く当接して、棚板６０ａを固定することになる。すなわち、棚板６０ａを棚板受け７０と棚板押さえ具１０の間で挟み込み、棚板６０ａの跳ね上がりを防止できる。また、棚板押さえ具１０を取り外す場合、棚板押さえ具１０の取り付け方法とは逆の順序で行えばよい。
【００３０】
次に、固定支持部５０のスリット５７に、棚板受け７０を取り付け、一般的な厚みｔ１より大の厚みｔ２の棚板６０ｂを設置し、棚板受け７０および棚板押さえ具１０を取り付ける方法について、図２２及び図２３を参照して説明する。固定支持部５０のスリット５７に、棚板受け７０のフック状の係止片７１ａ、７１ｂを係止させて、固定支持部５０に棚板受け７０を取り付ける。次いで、棚板受け７０上に棚板６０ｂを載せる。この場合、棚板受け７０のフック状の係止片７１ａ、７１ｂのスリット内における上部隙間８０ａ、８０ｂが存在するため、意図せぬ外力により、棚板受け７０が上方へ外れる恐れがある。また、棚板６０ｂの厚みが大のため、棚板６０ｂに対応するスリット５７ｂには、棚板押さえ具１０を取り付けることはできない。
【００３１】
そこで、スリット５７ｂより上のスリット５７ａに、棚板押さえ具１０を取り付ける。この場合、ネジ頭７１と棚板６０ｂ間は、図２０に比べて大きく離れることになる。そこで、先ず、基部本体１から可動押さえ部３を手で下方に引き出す。引き出す最大ストロークは、ｌ１であり（図９〜図１１参照）、且つネジ本体７３を引き出す少しの寸法を残しておく（図２２）。なお、基部本体１から可動押さえ部３を下方に引き出す際、押し釦６の押し部６２を押して、可動押さえ部３と押し釦６の係止を解除して行ってもよい。可動押さえ部３を最大ストロークｌ１引き出した場合、可動押さえ部３の直線刃部５と押し釦６の係止刃部６３の動き及び係止関係は、図１５〜図１７の順に示す通りとなる。図２２に示す途中段階において、可動押さえ部３は押し釦６によりバネ付勢されて係止しており、押し釦６を押さない限り、基部本体１内に収納されることはない。
【００３２】
次いで、ネジ本体７３を、ネジ頭７１が棚板６０ｂの上面６１１ｂを押し込むまでネジを緩める方向に回す。ネジ頭７１が棚板６０ｂの上面６１１ｂを強く押すことで反力が生じ、棚板押さえ具１０の係止片部２が、固定支持部５０側に強く当接して、棚板６０ｂを固定することになる。すなわち、棚板６０ｂを棚板受け７０と棚板押さえ具１０の間で挟み込み、棚板６０ｂの跳ね上がりを防止できる。
【００３３】
次に、図２３の棚板押さえ具１０を取り外す場合、押し釦６の押し部６２の先端面を、バネ力に抗して基部本体１側に押し込む。これにより、押し釦６の係止刃部６１と可動押さえ部３の直線刃部５との係止が解除され、可動押さえ部３は、基部本体１に対して、上方移動が可能となる。この状態で、可動押さえ部３を手で上方に移動させて、ネジ頭７１の棚板６０ｂへの押圧を解除させ、その後、固定支持部５から棚板押さえ具１０を取り外す。その後、ネジ本体７３をネジを締め込む方向に回して、ネジ本体７３を可動押さえ部３に収納させれば、図１の棚板押さえ具１０となる。
【００３４】
図２３の棚板押さえ具１０を取り外す方法としては、上記方法以外に、他の方法を採ることができる。すなわち、先ず、ネジ本体７３をネジを締め込む方向に回して、ネジ本体７３を可動押さえ部３に収納させる。これにより、ネジ頭７１の棚板６０ｂへの押圧を解除でき、その後、固定支持部５から棚板押さえ具１０を取り外す。その後、押し釦６の押し部６２の先端を、バネ力に抗して基部本体１側に押し込む。これにより、押し釦６の係止刃部６３と可動押さえ部３の直線刃部５との係止が解除され、可動押さえ部３は、基部本体１に押し込むことが可能となる。この押し釦６を押した状態で、可動押さえ部３を手で押し込めば、図１の棚板押さえ具１０となる。
【００３５】
棚板押さえ具１０によれば、棚板の厚みや固定支持部のスリットのピッチが異なり、棚板とネジ頭の距離が種々の寸法を採ることがあっても、棚板をネジ頭で強く押圧できる。すなわち、棚板押さえ具１０を、可動押さえ部３を使用することなく、ネジ本体７３を引き出し固定するという従来の方法を採ることができ、更に、可動押さえ部３を基部本体１に対して、最大ストロークｌ１内において５段階の任意の位置で固定することができる。また、選択された位置から更に、ネジ頭７１を下方にストロークｌ２分、引き出すことができる。
【００３６】
本発明は、上記実施の形態例に限定されず、種々の変形を採ることができる。棚板押さえ具１０は、図３に示すように、係止片部２は、基部本体１に対して、同じ方向（前後方向）に真っすぐ延びるものであるが、これに限定されず、例えば図２４に示すように、基部本体１に対して、平面視において屈曲していてもよい。すなわち、図２４の棚板押さえ具１０ａは、平面視において「く」字形状となっている。棚板押さえ具１０ａによれば、係止片部２に対して、基部本体１が屈曲しており、例えば棚板の少し内側を押圧することができる。これは例えば、棚板の左右長さが少し短く、支柱の前方で且つ棚板受け上に、棚板面が延びていない場合に有効である。また、棚板押さえ具１０ａの係止片部２が屈曲する方向は、棚板押さえ具１０ａとは反対方向であってもよい。
【００３７】
また、可動押さえ部３において、円柱状のネジ本体保持部３１と板状の直線刃部３２の前後関係は、上記実施の形態例に限定されず、その逆である板状の直線刃部３２が手前で、その後ろを円柱状のネジ本体保持部３１としてもよい。その場合、可動押さえ部３の縦くり抜き部１２は、その形状に対応したものとする。また、押し釦６は、左側に付設してもよい。この場合、可動押さえ部３の直線刃部の刃の向きは、図７とは反対の右向きとなる。また、基部本体１から可動押さえ部３の下方への脱落を抑制するため、例えば、図８の板状体３２の上端に、ノコギリ刃５１の刃の向きと同じ方向に延びる小突起を形成してもよい。また、直線刃部３２のノコギリ刃５１と、押し釦６の係止刃部６１の係止は、図１５〜図１７に示す２つの刃に限定されず、１つでも、３つであってもよい。１つの場合、５段階の位置選択ができる。
【産業上の利用可能性】
【００３８】
本発明によれば、棚板の上面と、棚板の直上の固定支持部のスリットまでの寸法（間隔）が大きくても、棚板を強く押圧でき、固定支持部への強い固定が可能となる。このため、意図せぬ外力が作用しても、棚板受けや棚板が外れることはない。
【符号の説明】
【００３９】
１      基部本体
２      係止片部
３      可動押さえ部
４      雌ネジ
５      直線刃部
６      押し釦
７      雄ネジ
１０    棚板押さえ具
５０    固定支持部
５１    ノコギリ刃
５７    スリット
６０、６０ａ、６０ｂ    棚板
７１    ネジ頭
７３    ネジ本体
【図１】
2020185317.tif 000003
【図２】
2020185317.tif 000004
【図３】
2020185317.tif 000005
【図４】
2020185317.tif 000006
【図５】
2020185317.tif 000007
【図６】
2020185317.tif 000008
【図７】
2020185317.tif 000009
【図８】
2020185317.tif 000010
【図９】
2020185317.tif 000011
【図１０】
2020185317.tif 000012
【図１１】
2020185317.tif 000013
【図１２】
2020185317.tif 000014
【図１３】
2020185317.tif 000015
【図１４】
2020185317.tif 000016
【図１５】
2020185317.tif 000017
【図１６】
2020185317.tif 000018
【図１７】
2020185317.tif 000019
【図１８】
2020185317.tif 000020
【図１９】
2020185317.tif 000021
【図２０】
2020185317.tif 000022
【図２１】
2020185317.tif 000023
【図２２】
2020185317.tif 000024
【図２３】
2020185317.tif 000025
【図２４】
2020185317.tif 000026
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
固定支持部のスリットに係止する係止片部と、
該係止片部と一体に付設される所定の厚みのある箱状の基部本体と、
該基部本体に配設され、該基部本体に対して上下移動する可動押さえ部と、を有し、
該可動押さえ部は、棚板を押圧するネジ頭を有するネジ本体が螺合する雌ネジ部が形成されたネジ本体保持部と、該ネジ本体保持部から該係止片部に近づく方向に突出する直線刃部であって、該ネジ本体保持部と横並びに位置する上下方向に複数のノコギリ刃を該基部本体の厚み方向に突出するように有する直線刃部と、を有し、
該基部本体には、該一つ以上のノコギリ刃と係止又は係止解除する、常時、係止する方向にバネ付勢される押し釦であって、該基部本体の該厚み方向に出没自在に付設され、該ノコギリ刃の刃先と対峙する方向から係止する係止刃を有する係止刃部と、該係止刃部の一方の側端から延びる押し部とを有する押し釦が、更に付設され、
該押し釦と該直線刃部の係止位置を選択することで、該可動押さえ部の上下位置の選択が可能であることを特徴とする棚板押さえ具。
【請求項２】
該ノコギリ刃の一つの刃は、断面が傾斜状の刃と起立状の刃とからなり、該起立状の刃が上方となるように配設されることを特徴とする請求項１記載の棚板押さえ具。
【請求項３】
該直線刃部は、該可動押さえ部の一方の側面側に形成したものであることを特徴とする請求項１又は２記載の棚板押さえ具。
【請求項４】
該押し釦は、該基部本体の上下方向と直交する方向に出没自在に付設され、該ノコギリ刃の刃先と対峙する方向から係止する係止刃を有する該係止刃部と、該係止刃部の一方の側端から刃先方向に延びる該押し部とで平面視Ｌ字形状を形成しており、
該押し部の先端をバネ力に抗して押すことで、該係止刃部と該直線刃部の係止を解除し、押すことを止めることで、該係止刃部と該直線刃部の係止を行うことを特徴とする請求項１〜３のいずれか１項に記載の棚板押さえ具。
【請求項５】
該係止刃部の反刃部側に、バネ部材が収納されることを特徴とする請求項１〜４のいずれか１項に記載の棚板押さえ具。